【手続補正書】
【提出日】平成21年12月18日(2009.12.18)
【手続補正１】
【補正対象書類名】特許請求の範囲
【補正対象項目名】全文
【補正方法】変更
【補正の内容】
【特許請求の範囲】
【請求項１】
記録媒体に光を照射する照射手段と、
前記照射手段によって照射された記録媒体からの光を受光し、複数画素を有する画像として読み取る読取手段と、
前記読取手段により読み取られた画像の出力値から複数画素間の出力値の差分を算出する算出手段と、
前記算出手段によって算出された前記差分の絶対値に応じて、記録媒体の種類の判別を行う制御手段と、を有することを特徴とする記録媒体判別装置。
【請求項２】
前記算出手段によって算出した差分と、次に算出される差分の符号が異なるときに、前記次に算出される差分の絶対値をカウントするカウント手段を有し、
前記制御手段は、前記カウント手段にカウントされた前記差分の絶対値に応じて、記録媒体の種類の判別を行うことを特徴とする請求項１に記載の記録媒体判別装置。
【請求項３】
前記照射手段は、記録媒体の表面に光を照射し、表面から反射した反射光を画像として読み取らせるための第一の照射手段又は記録媒体の表面に光を照射し、表面を透過した透過光を画像として読み取らせるための第二の照射手段のいずれか一方を有し、
前記読取手段は、前記第一の照射手段又は前記第二の照射手段のいずれか一方によって照射された記録媒体からの光を受光し、複数画素を有する画像として読み取ることを特徴とする請求項１又は２に記載の記録媒体判別装置。
【請求項４】
前記照射手段は、記録媒体の表面に光を照射し、表面から反射した反射光を画像として読み取らせるための第一の照射手段と、
記録媒体の表面に光を照射し、表面を透過した透過光を画像として読み取らせるための第二の照射手段とを有し、
前記読取手段は、前記第一の照射手段と前記第二の照射手段によって順に照射された光を受光し、複数画素を有する画像として読み取ることを特徴とする請求項１又は２に記載の記録媒体判別装置。
【手続補正２】
【補正対象書類名】明細書
【補正対象項目名】００１２
【補正方法】変更
【補正の内容】
【００１２】
（１）記録媒体に光を照射する照射手段と、前記照射手段によって照射された記録媒体からの光を受光し、複数画素を有する画像として読み取る読取手段と、前記読取手段により読み取られた画像の出力値から複数画素間の出力値の差分を算出する算出手段と、前記算出手段によって算出された前記差分の絶対値に応じて、記録媒体の種類の判別を行う制御手段と、を有することを特徴とする記録媒体判別装置。
【手続補正３】
【補正対象書類名】明細書
【補正対象項目名】００１３
【補正方法】削除
【補正の内容】
【手続補正４】
【補正対象書類名】明細書
【補正対象項目名】００１４
【補正方法】削除
【補正の内容】
【手続補正５】
【補正対象書類名】明細書
【補正対象項目名】００１５
【補正方法】削除
【補正の内容】
【手続補正６】
【補正対象書類名】明細書
【補正対象項目名】００１６
【補正方法】変更
【補正の内容】
【００１６】
本発明によれば、照射手段の光量ばらつきや、読取手段の感度ばらつきの影響を受けにくいため、光源であるＬＥＤの光量のばらつきや、セル感度のばらつきを抑える必要がなくなり、安価な構成で記録媒体の種類を判別できる。
【手続補正７】
【補正対象書類名】明細書
【補正対象項目名】００１７
【補正方法】変更
【補正の内容】
【００１７】
さらに光量ムラを無くすためのシェーディング補正を行わずとも判別精度を確保でき、検出時間を短くすることが可能となり、ファーストプリントアウト時間の短縮を可能とする。
【手続補正８】
【補正対象書類名】明細書
【補正対象項目名】００２０
【補正方法】変更
【補正の内容】
【００２０】
撮像手段１００は、図１に示すように記録媒体１０４の表面を照射する照射手段である反射用ＬＥＤ１０１と、反射用ＬＥＤ１０１の照射領域を画像として読み取る画像読取手段１０２とを備えている。ここで、反射用ＬＥＤ１０１は第一の照射手段である。また、撮像手段１００は、画像読取手段１０２に結像させるための結像レンズ１０３と、画像読取手段１０２の出力から画像を記憶する記憶手段１０８と、記憶手段１０８で記憶した画像を行毎に解析する解析手段１０９とを備えている。
【手続補正９】
【補正対象書類名】明細書
【補正対象項目名】００４５
【補正方法】変更
【補正の内容】
【００４５】
以上説明したように本実施例によれば、光源であるＬＥＤの光量のばらつきや、セル感度のばらつきを抑える必要がなくなり、安価な構成を実現することができる。さらにシェーディング補正を行わずとも判別が可能なため、検出時間を短縮することが可能となる。なお、画像読取手段としては、ＣＣＤセンサを用いてもよい。
【手続補正１０】
【補正対象書類名】明細書
【補正対象項目名】００４７
【補正方法】変更
【補正の内容】
【００４７】
本発明の実施例２として、記録媒体２０４への光源となる照射手段である透過用ＬＥＤ２０７を、画像読取手段２０２に対して記録媒体２０４と反対側へ配置し、透過用ＬＥＤ２０７の透過光を検出した。ここで、透過用ＬＥＤ２０７は第二の照射手段である。
【手続補正１１】
【補正対象書類名】明細書
【補正対象項目名】００５９
【補正方法】変更
【補正の内容】
【００５９】
以上説明したように本実施例によれば、光源であるＬＥＤの光量のばらつきや、セル感度のばらつきを抑える必要がなくなり、安価な構成を実現することができる。さらにシェーディング補正を行わずとも判別が可能なため、検出時間を短縮することが可能となる。なお、画像読取手段としては、ＣＣＤセンサを用いてもよい。
【手続補正１２】
【補正対象書類名】明細書
【補正対象項目名】００６１
【補正方法】変更
【補正の内容】
【００６１】
実施例１、２と異なるのは、記録媒体３０４への光源となる照射手段である一つ目の反射用ＬＥＤ３０１（第一の照射手段）を記録媒体３０４の表面から光を照射するように配置する。また、二つ目の透過用ＬＥＤ３０７（第二の照射手段）を記録媒体３０４の裏面から光を照射するように配置する。そして反射用ＬＥＤ３０１による照射領域の反射画像と透過用ＬＥＤ３０７による照射領域の透過画像を、画像読取手段３０２で画像として読み取る点である。そして画像読取手段３０２からの画像を、解析手段３０９によって解析する。なお、３０３は画像読取手段３０２に結像させるための結像レンズ、３０８は画像読取手段３０２の出力から画像を記憶する記憶手段、３０００は反射用ＬＥＤ３０１及び透過用ＬＥＤ３０７の光量を一定になるように制御する発光制御部である。本実施例において、撮像手段３００は、反射用ＬＥＤ３０１、画像読取手段３０２、結像レンズ３０３、記憶手段３０８、解析手段３０９を備える。
【手続補正１３】
【補正対象書類名】明細書
【補正対象項目名】００６７
【補正方法】変更
【補正の内容】
【００６７】
以上説明したように本実施例によれば、それぞれ単独の画像で記録媒体を判別していた時に比べて、より細かく記録媒体の種類を判別することができ、さらに光源であるＬＥＤの光量のばらつきや、セル感度のばらつきを抑える必要がなくなり、安価な構成を実現することができる。またシェーディング補正を行わずとも判別が可能なため、検出時間を短縮することが可能となる。なお、画像読取手段としては、ＣＣＤセンサを用いてもよい。
【手続補正１４】
【補正対象書類名】明細書
【補正対象項目名】００６９
【補正方法】変更
【補正の内容】
【００６９】
１００，２００，３００          撮像手段
１０１，３０１                  反射用ＬＥＤ（第一の照射手段に相当）
１０２，２０２，３０２          画像読取手段
１０３，２０３，３０３          結像レンズ
１０４，２０４，３０４          記録媒体
１０８，２０８，３０８          記憶手段
１０９，２０９，３０９          解析手段
２０７，３０７                  透過用ＬＥＤ（第二の照射手段に相当）
１０００，２０００，３０００    発光制御部